(57)【要約】【課題】  ランプの点灯条件を悪化させることなく、色むらのない読取画像を得ることができる画像読取装置を提供する。【解決手段】  原稿を照明ランプ２で照射してその反射光をＣＣＤで受光することで、原稿画像に対する電気信号をライン単位で読み取る画像読取装置において、各ラインの読取開始タイミングを規定するライン同期信号にインバータの発振回路を同期制御させて照明ランプ２を点灯させる休止期間のある同期点灯と同期点灯を切り替える。【選択図】        図４
2005094697.tif 000002
【特許請求の範囲】
【請求項１】
原稿を露光ランプで照射してその反射光を光電変換素子で受光して、原稿画像に対する電気信号をライン単位で読み取る画像読取装置において、各ラインの読取開始タイミングを規定するライン同期信号にインバータの発振回路を同期制御させてランプを点灯させるに際し、休止期間のある同期点灯と同期点灯を切り替える手段を有することを特徴とする画像読取装置。
【請求項２】
請求項１記載の画像読取装置において、異なる２つ以上のライン周期を有する場合には、少なくとも１つのライン周期で休止期間のある同期点灯、少なくとも他の１つのライン周期で同期点灯に切り替えることを特徴とする画像読取装置。
【請求項３】
請求項１記載の画像読取装置において、同一ライン周期においても読取条件に応じて、少なくとも１つの読取条件で休止期間のある同期点灯、少なくとも他の１つの読取条件で同期点灯に切り替えることを特徴とする画像読取装置。
【請求項４】
請求項２記載の画像読取装置において、ライン周期が大きい場合には同期点灯、ライン周期が小さい場合には休止期間のある同期点灯に切り替えることを特徴とする画像読取装置。
【発明の詳細な説明】
【技術分野】
【０００１】
本発明は、複写機、ファクシミリ装置、スキャナーなどの画像読取装置に係り、特に、１ライン毎の光量変動をなくし、各ライン毎の積算光量に差が生じないようにした画像読取装置に関する。
【背景技術】
【０００２】
原稿の画像情報を読み取ってデジタル処理する画像読取装置が知られている。従来の画像読取装置では、各ラインの読取周期と光量制御周期（ランプ点灯周期）が非同期であるために、１ライン周期に対してランプ点灯周期が十分に小さくない場合には、１ライン周期の中に入るランプ点灯パルス数が各ライン毎にバラツキ、そのバラツキにより各ライン毎の積算光量に差が発生し読取画像の色むらが発生していた。
これに対して、特許文献１（特開平１１−３１２５９６号公報）の放電ランプ点灯装置では、ランプに給電する給電装置のインバータの発振器を周波数可変発振器とし、該周波数可変発振器からの発振信号を外部同期信号に位相ロックするように周波数可変発振器を制御することにより、光量変動を伴うことなく誘電体バリア放電蛍光ランプを外部同期信号に同期させて発光させている。
【特許文献１】特開平１１−３１２５９６号公報
【発明の開示】
【発明が解決しようとする課題】
【０００３】
しかし、周波数を可変させ同期させて発光させる方法は、ランプ点灯周波数が可変するのでランプの最適な点灯条件（点灯周波数）から外れる可能性があり回路構成も複雑になるという欠点があった。
そこで、本発明は、上述の問題点を解決するためになされたもので、ランプの点灯条件を悪化させることなく、色むらのない読取画像を得ることができる画像読取装置を提供することを目的とする。
【課題を解決するための手段】
【０００４】
上述の問題点を解決するために、請求項１記載の発明では、原稿を露光ランプで照射してその反射光を光電変換素子で受光して、原稿画像に対する電気信号をライン単位で読み取る画像読取装置において、各ラインの読取開始タイミングを規定するライン同期信号にインバータの発振回路を同期制御させてランプを点灯させるに際し、休止期間のある同期点灯と同期点灯を切り替える手段を有することを最も主要な特徴とする。
請求項２記載の発明では、異なる２つ以上のライン周期を有する場合には、少なくとも１つのライン周期で休止期間のある同期点灯、少なくとも他の１つのライン周期で同期点灯に切り替える画像読取装置を主要な特徴とする。
請求項３記載の発明では、同一ライン周期においても読取条件に応じて、少なくとも１つの読取条件で休止期間のある同期点灯、少なくとも他の１つの読取条件で同期点灯に切り替える画像読取装置を主要な特徴とする。
請求項４記載の発明では、ライン周期が大きい場合には同期点灯、ライン周期が小さい場合には休止期間のある同期点灯に切り替える画像読取装置を主要な特徴とする。
【発明の効果】
【０００５】
請求項１によれば、各ラインの読取開始タイミングを規定するライン同期信号にインバータの発振回路を同期制御させてランプを点灯させる休止期間のある同期点灯と同期点灯を切り替えているので、１ライン毎の光量変動がなくなり各ライン毎の積算光量に差が発生し読取画像の色むらとなる不具合を解決することができる。
請求項２によれば、異なる２つ以上のライン周期を有する場合には、少なくとも１つのライン周期で休止期間のある同期点灯、少なくとも他の１つのライン周期で同期点灯に切り替えているので、１ライン周期に対する点灯パルス数が一定になるようにインバータの発振周波数を設定する場合の許容範囲を大きくでき、１ライン毎の光量変動をなくし各ライン毎の積算光量に差が発生し読取画像の色むらとなる不具合を解決することができる。
請求項３によれば、同一ライン周期においても読取条件に応じて、少なくとも１つの読取条件で休止期間のある同期点灯、少なくとも他の１つの読取条件で同期点灯に切り替えているので、１ライン毎の光量変動をなくし各ライン毎の積算光量に差が発生し読取画像の色むらとなる不具合を解決することができる。
請求項４によれば、ライン周期が大きい場合には同期点灯、ライン周期が小さい場合には休止期間のある同期点灯に切り替えているので、１ライン毎の光量変動をなくし各ライン毎の積算光量に差が発生し読取画像の色むらとなる不具合を解決することができる。
【発明を実施するための最良の形態】
【０００６】
以下、図面により本発明の実施の形態を詳細に説明する。図１は本発明の第１〜第４の実施の形態の画像読取装置の機械構成を示す概略断面図である。図の画像読取装置は原稿台ガラス８上にセットされた原稿の画像情報をカラーで読み取ることができる装置である。図１において、原稿台ガラス８上に置かれた原稿は第１キャリッジ３１によって走査され、画像情報が読み取られる。
第１キャリッジ３１は光を照射するための照明ランプ（露光ランプ）２と原稿面で反射した光を更に反射するための第１ミラー３を備え、原稿台ガラス８の下部を移動しながら走査を行う。第１ミラー３からの反射光は、第２キャリッジ３２上の第２ミラー５、第３ミラー４で反射され、レンズ１により集束され、ＣＣＤ（光電変換素子）が搭載されたＳＢＵ１０に照射されることにより電気信号に光電変換される。第１キャリッジ３１及び第２キャリッジ３２はステッピングモータを用いた走行体モータ９を駆動源として、キャリッジホーム位置から最大走査領域方向（図左右方向）に移動可能となっている。
画像読取装置の上部には、ＡＲＤＦ（自動両面原稿搬送装置）部が備えられている。原稿台１７の原稿ガイド１２に沿って積載された原稿は、片面原稿読み取りを選択した場合には呼び出しコロ１４、給紙ベルト１６により搬送コロ１５、分離コロ１７ａ、第１搬送ローラ１８によりＤＦ用原稿ガラス６と反射ガイド板２０との間の読取位置を経て、第２搬送ローラ２１及び排紙ローラ２３へ送り込まれ、原稿が排出される。ＤＦ用原稿ガラス６の前にはレジストセンサ１９が配置されており、読取部への紙の進入（先端）や後端部のタイミングを検知できる。
【０００７】
一方、両面原稿読み取りを選択した場合には、まず原稿の表面の読み取りを片面原稿読み取りを選択した場合と同様に実施する。原稿の表面の読み取り動作では、呼び出しコロ１４、給紙ベルト１６により搬送コロ１５、分離コロ１７ａ、第１搬送ローラ１８によりＤＦ用原稿ガラス６と反射ガイド板２０との間の読取位置を経て、第２搬送ローラ２１及び排紙ローラ２３へ送り込まれ、原稿を排出せずに、分岐爪２４が下方へ切り換えられて反転ローラ２５により反転テーブル２６上へ移送される。原稿の後端が排紙ローラ２３を抜けた後に分岐爪２４が上方へ切り換えられて一旦、反転ローラ２５が停止する。
原稿の裏面の読み取り動作では、一旦、停止していた反転ローラ２５を上記とは逆方向へ回転させることにより原稿が反転テーブル２６から第１搬送ローラ１８の方向へ搬送され、更に第１搬送ローラ１８を経て表面と同様にＤＦ用原稿ガラス６と反射ガイド板２０との間の読取位置を経て、第２搬送ローラ２１及び排紙ローラ２３へ送り込まれ、その後、原稿が排出される。原稿は、表面、裏面の読み取り共にＤＦ用原稿ガラス６と反射ガイド板２０との間の読取位置を通過する際に、読取位置の近傍に停止されている照明ランプ２により照射され、その反射光は、第１ミラー３及び一体に構成された第２ミラー５、第３ミラー４で走査される。以下、原稿台の場合と同様に光電変換される。
ＡＲＤＦ部の呼び出しコロ１４、給紙ベルト１６、搬送コロ１５、分離コロ１７ａの給紙機構は給紙モータ（図示せず）により駆動されている。又、第１搬送ローラ１８、第２搬送ローラ２１、排紙ローラ２３、反転ローラ２５の搬送機構は搬送モータ（図示せず）により駆動されている。更に、ＡＲＤＦ部には原稿を検知するために原稿台１７へ原稿がセットされているか否かを検知する原稿セットセンサ１３、原稿サイズを検知するための幅サイズ検知基板２８、第１原稿長さセンサ２９と第２原稿長さセンサ３０、原稿の後端を検知するための原稿後端センサ２７が搭載されている。装置本体には装置本体及びＡＲＤＦを含めたカラー画像読取装置の動作制御を行うＳＣＵ７が搭載されている。
【０００８】
図２、図３は本発明の第１〜第４の実施の形態の画像読取装置の制御回路のブロック図である。図２、図３においてＳＢＵ１０上のＣＣＤ１００に入光した原稿の反射光は、ＣＣＤ１００内で光の強度に応じた電圧値を持つアナログ信号に変換され、奇数ビットと偶数ビットに分かれて出力される。ＳＢＵ１０のアナログ画像信号は、ＶＩＯＢ３３上のアナログ処理回路１０１で暗電位部分が取り除かれ、奇数ビットと偶数ビットが合成され、所定の振幅にゲイン調整された後にＡ／Ｄコンバータ１０２に入力されデジタル信号化される。
デジタル化された画像信号は、シェーディング部１０３によりシェーディング補正されＶＩＯＢ３３からＳＣＵ７上のＩＰＵ１０４で、ガンマ補正、ＭＴＦ補正等の画像処理が行なわれた後、同期信号画像クロックとともにビデオ信号として、画像データ記憶手段であるＳＤＲＡＭ１０６を管理するメモリコントローラ１０５に入力され、ＳＤＲＡＭ１０６で構成される画像メモリに蓄えられる。
画像メモリに蓄えられた画像データは、外部Ｉ／Ｆドライバ１０７に送られ、パソコンやプリンタ等の外部出力装置１２０へ転送される。なお、この例の外部Ｉ／Ｆドライバ１０７はＳＣＳＩ、ＩＥＥＥ１３９４、ＬＡＮなどのドライバーやローカルＶｉｄｅｏ信号などで構成される。ＳＣＵ７上には、ＣＰＵ１０８、ＲＯＭ１０９、ＲＡＭ１１０、ＮＶＲＡＭ１１１、モータコントローラ１１２が実装されており、ＣＰＵ１０８は、走行体モーター９、ＡＲＤＦの給紙モーター（図示せず）、搬送モーター（図示せず）のタイミング制御も行なっている。
ＡＤＵ４２は、ＡＲＤＦ部に用いる電装部品の電力供給を中継する機能を有している。ＳＣＵ７上のＣＰＵに接続されている入力ポートは、ＶＩＯＢ３３を介して本体操作パネルＳＯＰ４３に接続されている。本体操作パネルＳＯＰ４３上にはスタートスイッチ（図示せず）と停止スイッチ（図示せず）が実装されている。それぞれのスイッチが押下されると入力ポートを介してＣＰＵはスイッチがＯＮされたことを検出する。
【０００９】
ここで、画像読取装置の第１の実施の形態について説明する。図４は第１の実施の形態におけるインバータ回路のブロック図である。同期点灯の場合には、図４に示すように各ラインの読取開始タイミングを規定するライン同期信号（ＴＧ−ＩＮＶ）１４２を入力するとライン同期信号に同期してランプを点灯させるインバータの発振回路が発振部１３４において発振動作する。発振部１３４から出力されるクロック信号に応じて点灯制御部１３５は動作し、インバータ回路１３１を制御する。
インバータ回路１３１からの出力は昇圧トランス１３２を経由して照明ランプ２に印加される。なお、ＣＮＴ１４３はランプＯＮ／ＯＦＦ制御信号である。非同期点灯の場合には、ライン同期信号（ＴＧ−ＩＮＶ）１４２をＬｏｗレベルに固定しＣＮＴ１４３にランプＯＮ／ＯＦＦ制御信号を入力する。休止期間のある同期点灯を行う場合には、ライン同期信号（ＴＧ−ＩＮＶ）１４２を入力し、各ラインの休止期間中にＧＡＴＥ信号１４４を入力する。
図５はインバータ回路の構成図である。図５に示すようにランプＯＮ／ＯＦＦ制御信号（ＣＮＴ）１４３がＨｉｇｈレベルの時、Ｒ（抵抗）２０３を経由した信号によってＴＲ（トランジスタ）２００がオンしインバータ制御用のＩＣ２０１に電力が供給される。ＩＣ２０１はスイッチング素子ＦＥＴ２０２を駆動するためのドライバ及び発振器を内蔵しておりＣｔ及びＲｔ端子に接続されたコンデンサ及び抵抗の定数に応じて発振器が所定の周期で発振し、発振パルスによりドライバを駆動し、ドライバの出力によりＤ（ダイオード）２０９、Ｒ２１０を介してスイッチング素子ＦＥＴ２０２が駆動される。
【００１０】
駆動信号によりスイッチング素子ＦＥＴ２０２がＯＮになると、定電圧電源１３０→昇圧トランス１３２の一次側巻線→スイッチング素子ＦＥＴ２０２の経路で電流が流れ、昇圧トランス１３２にエネルギーが蓄えられる。次にスイッチング素子ＦＥＴ２０２がＯＦＦになると昇圧トランス１３２に流れていた電流が遮断されると蓄えられていたエネルギーが放出され、昇圧トランス１３２の一次側、二次側に急峻な立ち上がりを持つ電圧波形が発生する。
この電圧波形は時間とともに減衰し、次にスイッチング素子ＦＥＴ２０２がオンになった後オフになると前記と同様に再び急峻な立ち上がりを持つ電圧波形が発生する。すなわちスイッチング素子ＦＥＴ２０２をオン／オフする毎に再び急峻な立ち上がりを持つ電圧波形が発生し、照明ランプ２に繰り返し電流が流れ、ランプが点灯し光が放出される。
また、ＩＣ２０１はＣ（コンデンサ）及びＲ２０７、ＶＲ２０８より構成されるＣＲ発振回路により発振するが、ＴＧ−ＩＮＶ１４２のＨｉｇｈ期間にＲ２０４、ＴＲ２０５を経由した信号によってＣ（コンデンサ）２０６を放電させることにより発振を停止させ、Ｌｏｗ期間に発振を開始させ同期点灯することができる。なお、ＩＣ２０１は、ＧＡＴＥ信号１４４が入力される期間は出力を停止する。
したがって、第１の実施の形態における画像読取装置においては、各ラインの読取開始タイミングを規定するライン同期信号にインバータの発振回路を同期制御させてランプを点灯させる休止期間のある同期点灯と同期点灯を切り替えているので、１ライン毎の光量変動がなくなり各ライン毎の積算光量に差が発生し読取画像の色むらとなる不具合を解決することができる。
【００１１】
次に、画像読取装置の第２の実施の形態について説明する。なお、第２の実施の形態の回路構成は第１の実施の形態の場合と同様である。図６、図７、図８は第２の実施の形態における制御信号のタイミングチャートである。図６はランプＯＮ／ＯＦＦ信号（ＣＮＴ）とライン同期信号（ＴＧ−ＩＮＶ）のタイミングを示したものでＣＮＴとは別に点灯周波数の位相同期をとる目的でＴＧ−ＩＮＶを供給する。なおＣＮＴ信号とＴＧ−ＩＮＶ信号は非同期で供給し、ＣＮＴ信号のＯＮ、ＯＦＦは任意の時間とする。
図７はＴＧ−ＩＮＶとインバータ出力（光波形）のタイミングを示したもので、条件としてＴＧ−ＩＮＶ周期Ｈｉｇｈ期間に対するオーバーラップはＦＥＴがＯＮしている期間として、ゲート電圧実測値ＯＮＤｕｔｙ＝２０．１％（３．０μｓ／１４．９μｓ）固定とし、ＴＧ−ＩＮＶがＬｏｗになってからＦＥＴがＯＮするまでの遅延時間はゲート電圧実測値２３．５μｓ固定として示したものである。
図８はＴＧ−ＩＮＶ、ＧＡＴＥとインバータ出力（光波形）のタイミングを示したもので、回路の動作条件は図７と同一として示したものである。前記の条件に基づいて１ライン周期に１５パルスになる周波数範囲を求めると以下の通りとなる。
［１５パルス／ライン周期］
最低周波数：ＴＧ−ＩＮＶ周期２３８．０μｓでＨｉｇｈ期間３．０μｓと遅延時間２３．５μｓを引いた２１１．５μｓに１５個のＯＮ時間がピッタリ合う周波数になる。１周期を１００％とすると、２１１．５μｓに１４２０．１％の繰り返し周期になる。１００％当りの時間は１４．８９μｓとなり、６７．１６ｋＨｚとなる。
最高周波数：２１１．５μｓを１５で割った時間が最高周波数となり、１４．１０μｓ＝７０．９２ｋＨｚとなる。
周波数範囲：６７．１６ｋＨｚ〜７０．９２ｋＨｚ→６９．０４±１．８８ｋＨｚ
【００１２】
次に画像読取装置が異なる２つ以上のライン周期を有する場合に、ライン周期（ＴＧ−ＩＮＶ周期）を３３９．０μｓとして、前記の条件に基づいて１ライン周期に２１パルスになる周波数範囲を求めると以下の通りとなる。
［２１パルス／ライン周期］
最低周波数：ＴＧ−ＩＮＶ周期３３９．０μｓでＨｉｇｈ期間３．０μｓと遅延時間２３．５μｓを引いた３１２．５μｓに２１個のＯＮ時間がピッタリ合う周波数になる。１周期を１００％とすると、３１２．５μｓに２０２０．１％の繰り返し周期になる。１００％当りの時間は１５．４７μｓとなり、６４．６４ｋＨｚとなる。
最高周波数：３１２．５μｓを２１で割った時間が最高周波数となり、１４．８８μｓ＝６７．２０ｋＨｚとなる。
周波数範囲：６４．６４ｋＨｚ〜６７．２０ｋＨｚ  →  ６５．９２±１．２８ｋＨｚ
異なる２つのライン周期を同時に満足する周波数範囲を求めると以下の通りとなる。
ライン周期１＝２３８．０μｓ：６７．１６ｋＨｚ〜７０．９２ｋＨｚ→６９．０４±１．８８ｋＨｚ
ライン周期２＝３３９．０μｓ：６４．６４ｋＨｚ〜６７．２０ｋＨｚ→６５．９２±１．２８ｋＨｚ
周波数範囲：６７．１６ｋＨｚ〜６７．２０ｋＨｚ→６７．１８±０．０２ｋＨｚ
【００１３】
異なる２つのライン周期を同時に満足する周波数範囲は、６７．１８±０．０２ｋＨｚとなり、発熱や電圧変動による周波数変動を考慮すると発振周波数の精度を高める必要が生じる。そこで、異なる２つ以上のライン周期を有する場合には、少なくとも１つのライン周期で休止期間のある同期点灯、少なくとも他の１つのライン周期で同期点灯に切り替えることにより、１ライン周期に対する点灯パルス数が一定になるようにインバータの発振周波数を設定する場合の周波数範囲を大きくすることができる。
したがって、第２の実施の形態における画像読取装置では、異なる２つ以上のライン周期を有する場合には、少なくとも１つのライン周期で休止期間のある同期点灯、少なくとも他の１つのライン周期で同期点灯に切り替えているので、１ライン周期に対する点灯パルス数が一定になるようにインバータの発振周波数を設定する場合の許容範囲を大きくでき、１ライン毎の光量変動をなくし各ライン毎の積算光量に差が発生し読取画像の色むらとなる不具合を解決することができる。
第３の実施の形態における画像読取装置では、ランプの発光色は白色であるがこれは希ガス放電によってガラス管内に生じた紫外線がガラス内面に塗布された３種類の蛍光体（Ｒ：赤、Ｇ：緑、Ｂ：青）で可視光に変換されて白色になっている。図８にＲＧＢ各発光色の光波形を示す。光波形のピークとピークの間隔はインバータ発振周波数が６７ｋＨｚの場合には１４．９μｓである。
また、図９の光波形に示すようにＲとＧの蛍光体の残光時間は長く明るさを維持できるため非同期点灯時においても各ライン間の光量差は小さいが、Ｂの蛍光体の残光時間は短く明るさの差が大きいため非同期点灯時においては各ライン間の光量差が大きく色むらが発生しやすい。そこで、カラー、白黒、２色（黒／赤、黒／青、黒／緑など）、単色（赤、青、緑など）の読取条件に応じて同期点灯と休止期間のある同期点灯を切り替え青を含む色むらが発生しやすいモードにおいては同期点灯を行い、赤と緑を含む色むらが発生しにくいモードにおいては休止期間のある同期点灯を行う。
【００１４】
第３の実施の形態における画像読取装置では、同一ライン周期においても読取条件に応じて、少なくとも１つの読取条件で休止期間のある同期点灯、少なくとも他の１つの読取条件で同期点灯に切り替えているので、１ライン毎の光量変動をなくし各ライン毎の積算光量に差が発生し読取画像の色むらとなる不具合を解決することができる。
第４の実施の形態における画像読取装置では、異なる２つ以上のライン周期を有する場合に、カラーモードや２色モードのようにライン周期が大きい場合（線速が遅い場合）には同期点灯を行い、白黒モードのようにライン周期が小さい場合（線速が早い場合）には休止期間のある同期点灯を行い、色むらの発生を解決すると同時に、白黒モードのように赤と緑を含む色むらが発生しにくいモードにおいては、休止期間のある同期点灯での照度低下が画質に影響を与えないようにＧＡＴＥ信号を制御する。
第４の実施の形態における画像読取装置では、ライン周期が大きい場合には同期点灯、ライン周期が小さい場合には休止期間のある同期点灯に切り替えているので、１ライン毎の光量変動をなくし各ライン毎の積算光量に差が発生し読取画像の色むらとなる不具合を解決することができる。
【図面の簡単な説明】
【００１５】
【図１】画像読取装置の機械構成を示す概略断面図。
【図２】制御回路の全体ブロック図。
【図３】装置本体側の制御回路のブロック図。
【図４】第１の実施の形態におけるインバータ回路のブロック図。
【図５】インバータ回路の構成図。
【図６】ランプＯＮ／ＯＦＦ信号とライン同期信号のタイミングを示すタイミングチャート。
【図７】ライン同期信号とインバータ出力（光波形）のタイミングを示すタイミングチャート。
【図８】ライン同期信号、ＧＡＴＥとインバータ出力（光波形）のタイミングを示すタイミングチャート。
【図９】Ｒ、Ｇ、Ｂの蛍光体の残光時間を示す光波形図。
【符号の説明】
【００１６】
１  レンズ、２  照明ランプ、３  第１ミラー、４  第３ミラー、５  第２ミラー、６  ＤＦ用原稿ガラス、７  ＳＣＵ、８  原稿台ガラス、９  走行体モータ、１０  ＳＢＵ、１３  原稿セットセンサ、１４  呼び出しコロ、１５  搬送コロ、１６  給紙ベルト、１７  原稿台、１７ａ  分離コロ、１８  第１搬送ローラ、１９  レジストセンサ、２０  反射ガイド板、２１  第２搬送ローラ、２３  排紙ローラ、２４  分岐爪、２５  反転ローラ、２６  反転テーブル、２７  原稿後端センサ、２８  幅サイズ検知基板、２９  第１原稿長さセンサ、３０  第２原稿長さセンサ、３１  第１キャリッジ、３２  第２キャリッジ、３３  ＶＩＯＢ、４２  ＡＤＵ、４３  ＳＯＰ、１００  ＣＣＤ、１０１  アナログ処理回路、１０２  Ａ／Ｄコンバータ、１０３  シェーディング部、１０４  ＩＰＵ、１０５  メモリコントローラ、１０６  ＳＤＲＡＭ、１０７  Ｉ／Ｆドライバ、１０８  ＣＰＵ、１０９  ＲＯＭ、１１０  ＲＡＭ、１１１  ＮＶＲＡＭ、１１２  モータコントローラ、１２０  外部出力装置、１３０  定電圧電源１３０、１３１  インバータ回路、１３２  昇圧トランス、１３４  発振部、１３５  点灯制御部、１４２  ライン同期信号（ＴＧ−ＩＮＶ）、１４３  ＯＮ／ＯＦＦ制御信号（ＣＮＴ）、１４４  ＧＡＴＥ信号、２００、２０５  ＴＲ（トランジスタ）、２０１  ＩＣ、２０２  スイッチング素子ＦＥＴ、２０４、２０７、２１０  Ｒ（抵抗）、２０６  コンデンサ、２０８  ＶＲ（可変抵抗）、２０９  Ｄ（ダイオード）
【図１】
2005094697.tif 000003
【図２】
2005094697.tif 000004
【図３】
2005094697.tif 000005
【図４】
2005094697.tif 000006
【図５】
2005094697.tif 000007
【図６】
2005094697.tif 000008
【図７】
2005094697.tif 000009
【図８】
2005094697.tif 000010
【図９】
2005094697.tif 000011